(57)【要約】装着時の嵩張りを小さく抑えることが可能な尿取パッドを提供する。尿取パッド（１）は、陰茎に装着されて尿を吸収する尿取パッドであって、陰茎収容部（１０）を備えている。陰茎収容部は、陰茎を収容可能な形状に予め成形されている。陰茎収容部には、裂開予定部（１２）が設けられている。裂開予定部は、陰茎収容部に収容された陰茎が勃起したときに裂開する部分である。
2017183091.tif 000002
【特許請求の範囲】
【請求項１】
陰茎に装着されて尿を吸収する尿取パッドであって、
前記陰茎を収容可能な形状に予め成形された陰茎収容部を備え、
前記陰茎収容部には、前記陰茎が勃起したときに裂開する部分である裂開予定部が設けられていることを特徴とする尿取パッド。
【請求項２】
請求項１に記載の尿取パッドにおいて、
前記陰茎収容部は、先端部が閉塞され、後端部が開放した筒状又は袋状をしている尿取パッド。
【請求項３】
請求項２に記載の尿取パッドにおいて、
前記裂開予定部は、線状をしている尿取パッド。
【請求項４】
請求項３に記載の尿取パッドにおいて、
前記裂開予定部は、前記陰茎収容部の長さ方向に延びている尿取パッド。
【請求項５】
請求項４に記載の尿取パッドにおいて、
前記裂開予定部の長さは、３ｃｍ以上である尿取パッド。
【請求項６】
請求項４又は５に記載の尿取パッドにおいて、
前記裂開予定部は、前記陰茎収容部の前記後端部にまで達しないように設けられている尿取パッド。
【請求項７】
請求項３に記載の尿取パッドにおいて、
前記裂開予定部は、前記陰茎収容部の周方向に延びている尿取パッド。
【請求項８】
請求項２乃至７の何れかに記載の尿取パッドにおいて、
前記陰茎収容部の前記先端部は、当該陰茎収容部の前記先端部以外の部分よりも厚く形成されている尿取パッド。
【請求項９】
請求項８に記載の尿取パッドにおいて、
前記先端部には、前記裂開予定部が設けられていない尿取パッド。
【請求項１０】
請求項８又は９に記載の尿取パッドにおいて、
前記裂開予定部は、前記先端部から前記後端部の近傍まで延びている尿取パッド。
【請求項１１】
請求項１乃至１０の何れかに記載の尿取パッドにおいて、
前記陰茎収容部には、複数の前記裂開予定部が設けられている尿取パッド。
【請求項１２】
請求項１１に記載の尿取パッドにおいて、
前記複数の裂開予定部は、前記陰茎収容部に規則的に配設されている尿取パッド。
【請求項１３】
請求項１１又は１２に記載の尿取パッドにおいて、
前記複数の裂開予定部は、互いに交わらない尿取パッド。
【請求項１４】
請求項１乃至１３の何れかに記載の尿取パッドにおいて、
前記陰茎収容部には、前記裂開予定部に沿って予め切目が形成されている尿取パッド。
【請求項１５】
請求項１乃至１３の何れかに記載の尿取パッドにおいて、
前記陰茎収容部には、前記陰茎が勃起したときに初めて、前記裂開予定部に沿って切目が生じる尿取パッド。
【請求項１６】
請求項１５に記載の尿取パッドにおいて、
前記陰茎収容部には、前記裂開予定部に沿ってミシン目が形成されている尿取パッド。
【請求項１７】
請求項１乃至１６の何れかに記載の尿取パッドにおいて、
前記陰茎収容部は、高吸水性樹脂を含有している尿取パッド。
【請求項１８】
請求項１乃至１７の何れかに記載の尿取パッドにおいて、
前記陰茎収容部は、モールド成形又はプレス成形されたものである尿取パッド。
【請求項１９】
請求項１乃至１８の何れかに記載の尿取パッドにおいて、
当該尿取パッドは、水洗トイレに流すことが可能である尿取パッド。
【請求項２０】
請求項１乃至１９の何れかに記載の尿取パッドにおいて、
相異なる大きさを有する複数の前記陰茎収容部を備える尿取パッド。
【請求項２１】
請求項２０に記載の尿取パッドにおいて、
前記複数の陰茎収容部は、互いに重なった状態で前記陰茎を収容することが可能である尿取パッド。
【発明の詳細な説明】
【技術分野】
【０００１】
本発明は、男性用の尿取パッドに関する。
【背景技術】
【０００２】
従来の尿取パッドとしては、例えば特許文献１に記載されたものがある。同文献に記載された尿取パッドは、陰茎に装着されて尿を吸収する男性用の尿取パッドであって、横長の長方形状をしている。この尿取パッドは、陰茎に装着される際、次のように組み立てられる。まず、左下の角部を右斜め上方向に折り返した後、当該折返し部分に重なるようにして右下の角部を左斜め上方向に折り返す。次に、折返し部分どうしを両面接着テープで固定する。それにより、円錐形状の陰茎収容部が得られる。
【先行技術文献】
【特許文献】
【０００３】
【特許文献１】特開２００４−５７５７８号公報
【発明の概要】
【発明が解決しようとする課題】
【０００４】
特許文献１に記載された尿取パッドにおいては、装着に際して、上述のような組立作業を行うことが必要となる。そのため、装着時に手間がかかるという問題がある。【０００５】
本発明は、上記課題に鑑みてなされたものであり、陰茎への装着が容易な尿取パッドを提供することを目的とする。
【課題を解決するための手段】
【０００６】
本発明による尿取パッドは、陰茎に装着されて尿を吸収する尿取パッドであって、上記陰茎を収容可能な形状に予め成形された陰茎収容部を備え、上記陰茎収容部には、上記陰茎が勃起したときに裂開する部分である裂開予定部が設けられていることを特徴とする。【０００７】
この尿取パッドにおいては、陰茎収容部が、陰茎を収容可能な形状に予め成形されている。このため、装着に際して、尿取パッドの組立作業を行う必要がない。これにより、装着時の手間が省けるため、尿取パッドの装着が容易となる。
【発明の効果】
【０００８】
本発明によれば、陰茎への装着が容易な尿取パッドが実現される。
【図面の簡単な説明】
【０００９】
【図１】本発明による尿取パッドの一実施形態を示す斜視図である。
【図２】図１のII−II線に沿った端面図である。
【図３】図１の尿取パッドを示す平面図である。
【図４】図１の尿取パッドにおいて裂開予定部１２が裂開した状態を示す斜視図である。
【図５】図２の円Ｃ１で囲まれた部分を示す拡大図である。
【図６】裂開予定部１２の変形例を説明するための正面図である。
【図７】図６の陰茎収容部１０を示す平面図である。
【図８】変形例に係る尿取パッドを示す斜視図である。
【図９】図８の尿取パッドにおいて陰茎収容部１０，２０が重なった状態を示す端面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による尿取パッドの一実施形態を示す斜視図である。図２は、図１のII−II線に沿った端面図である。また、図３は、図１の尿取パッドを示す平面図である。尿取パッド１は、陰茎に装着されて尿を吸収する男性用の尿取パッドである。この尿取パッド１は、水洗トイレに流すことが可能であることが好ましい。尿取パッド１は、陰茎収容部１０を備えている。
【００１２】
陰茎収容部１０は、陰茎を収容可能な形状に予め成形されている。陰茎収容部１０は、先端部１０ａが閉塞され、後端部１０ｂが開放した筒状をしている。先端部１０ａは、陰茎収容部１０の頂点を含む一定面積の領域であり、陰茎収容部１０に陰茎が収容されているときに当該陰茎の尿道口を覆う。陰茎収容部１０の先端部１０ａは、図２からわかるように、陰茎収容部１０の先端部１０ａ以外の部分よりも厚く形成されている。後端部１０ｂは、陰茎の挿入口となる環状の部分である。
【００１３】
陰茎収容部１０においては、陰茎が収容されているとき及び収容されていないときの双方において、中空の状態（陰茎収容部１０の内側面どうしが接触しない状態）が維持される。かかる陰茎収容部１０の成形は、例えば、モールド成形又はプレス成形により行うことができる。
【００１４】
陰茎収容部１０には、裂開予定部１２が設けられている。裂開予定部１２は、陰茎収容部１０に収容された陰茎が勃起したときに裂開する部分である。陰茎収容部１０には、裂開予定部１２に沿ってミシン目が形成されている。本実施形態においては、複数（具体的には８つ）の裂開予定部１２が設けられている。各裂開予定部１２は、線状をしており、陰茎収容部１０の長さ方向（陰茎の挿入方向）に延びている。各裂開予定部１２の長さは、３ｃｍ以上であることが好ましく、６ｃｍ以上であることがより好ましい。
【００１５】
陰茎収容部１０の先端部１０ａには、裂開予定部１２が設けられていない。また、各裂開予定部１２は、陰茎収容部１０の後端部１０ｂにまで達しないように設けられている。本実施形態において各裂開予定部１２は、先端部１０ａから後端部１０ｂの近傍まで延びている。複数の裂開予定部１２は、陰茎収容部１０に規則的に配設されている。具体的には、図３からわかるように、８つの裂開予定部１２が等間隔で配設されている。これらの裂開予定部１２は、互いに交わらないように設けられている。
【００１６】
図４は、尿取パッド１において裂開予定部１２が裂開した状態を示す斜視図である。陰茎収容部１０に収容された陰茎が勃起すると、陰茎収容部１０を押し広げようとする力が内側から加わり、同図に示すように裂開予定部１２が裂開する。すなわち、陰茎収容部１０においては、裂開予定部１２に沿って切目が入った状態で当該裂開予定部１２に開口が生じる。これにより、陰茎収容部１０における連続する領域の一部が分断される。本実施形態においては、陰茎が勃起したときに初めて上記切目が生じる。また、上記開口は陰茎収容部１０を貫通するものであり、当該開口から陰茎が露出する。
【００１７】
図５は、図２の円Ｃ１で囲まれた部分を示す拡大図である。陰茎収容部１０は、内側シート１４、外側シート１６及び吸水層１８からなる三層構造を有している。内側シート１４は、陰茎収容部１０の内面（陰茎に対向する面）を構成しており、透水性を有している。内側シート１４は、陰茎収容部１０の内面の全体にわたって設けられている。内側シート１４の材料としては、例えば不織布を用いることができる。外側シート１６は、陰茎収容部１０の外面（外部に露出する面）を構成しており、不透水性（防水性）を有している。外側シート１６は、陰茎収容部１０の外面の全体にわたって設けられている。外側シート１６の材料としては、例えばプラスチックを用いることができる。
【００１８】
吸水層１８は、内側シート１４と外側シート１６との間に設けられており、吸水性を有している。吸水層１８は、内側シート１４と外側シート１６とで挟まれた領域の略全体に設けられている。陰茎収容部１０の先端部１０ａにおける吸水層１８の厚みは、先端部１０ａ以外の部分における吸水層１８の厚みよりも大きい。このため、陰茎収容部１０においては、上述のように、先端部１０ａの厚みが、先端部１０ａ以外の部分の厚みよりも大きくなっている。吸水層１８の材料としては、例えば、高吸水性樹脂、紙粉等を用いることができる。
【００１９】
尿取パッド１の効果を説明する。尿取パッド１においては、陰茎収容部１０が、陰茎を収容可能な形状に予め成形されている。このため、装着の際に尿取パッド１の組立作業を行う必要がない。これにより、装着時の手間が省けるため、尿取パッド１の装着が容易となる。したがって、陰茎への装着が容易な尿取パッド１が実現されている。
【００２０】
ところで、特許文献１に記載された尿取パッドにおいては、上述のような組立作業を経て円錐形状の陰茎収容部が形成されるため、必然的に、当該尿取パッドの一部分（折返し部分）どうしが広範囲にわたって重なり合うことになる。このような重なり部分の存在は、装着時における尿取パッドの嵩張りの原因となる。この点、本実施形態においては、陰茎収容部１０が陰茎を収容可能な形状に予め成形されているため、装着時、尿取パッド１に重なり部分が生じにくい。実際、尿取パッド１においては、陰茎が収容されているとき、陰茎収容部１０の一部分どうしの重なり合いが生じていない。これにより、装着時における尿取パッド１の嵩張りを小さく抑えることができる。
【００２１】
陰茎収容部１０においては、陰茎が収容されているとき及び収容されていないときの双方において、中空の状態が維持される。これにより、陰茎収容部１０をそのまま陰茎に被せるだけで尿取パッド１を陰茎に装着することができるため、尿取パッド１の装着が一層容易となる。
【００２２】
陰茎収容部１０は、筒状をしている。かかる形状の陰茎収容部１０は、陰茎にフィットさせやすいという利点がある。これに対し、特許文献１に記載された尿取パッドにおいては、陰茎収容部が先細りの形状をしているため、当該陰茎収容部を陰茎にフィットさせにくい。そのため、陰茎収容部の内面と陰茎との間に大きな隙間が生じやすいという問題がある。かかる隙間の存在は、陰茎収容部の外に尿が漏れたり、陰茎から陰茎収容部が外れたりする原因となりかねない。
【００２３】
特に陰茎収容部１０は、先端部１０ａが閉塞されている。これにより、陰茎の尿道口を確実に覆うことができる。これに対し、特許文献１に記載された尿取パッドにおいては、組み立て方によっては陰茎収容部の先端に穴ができてしまう。かかる穴の存在も、陰茎収容部の外に尿が漏れる原因となりかねない。
【００２４】
陰茎収容部１０の先端部１０ａは、陰茎収容部１０の先端部１０ａ以外の部分よりも厚く形成されている。この先端部１０ａは、陰茎の尿道口から放出された尿を直接に受ける部分である。それゆえ、かかる先端部１０ａを厚くすることにより、尿取パッド１の吸収力を効率良く高めることができる。他方、先端部１０ａ以外の部分を薄くすることは、装着時における尿取パッド１の嵩張りを小さく抑えるのに有利である。
【００２５】
陰茎収容部１０には、裂開予定部１２が設けられている。裂開予定部１２が裂開することにより、陰茎収容部１０の内部空間に余裕ができる。これにより、陰茎が勃起した場合であっても、当該陰茎が陰茎収容部１０によって圧迫されにくくなる。このため、勃起時の陰茎の痛みを抑制することができる。
【００２６】
裂開予定部１２は、先端部１０ａから後端部１０ｂの近傍まで延びている。これにより、陰茎が勃起したときに大きく裂開する裂開予定部１２を実現することができる。裂開予定部１２が大きく裂開することは、勃起時の陰茎の痛みを抑制するのに有利である。かかる観点から、裂開予定部１２の長さは、３ｃｍ以上であることが好ましく、６ｃｍ以上であることがより好ましい。
【００２７】
裂開予定部１２は、陰茎収容部１０の長さ方向に延びている。このため、裂開予定部１２が裂開したとき、陰茎収容部１０は周方向に拡張する。これにより、陰茎に対する陰茎収容部１０の締付け力が弱まるため、勃起時の陰茎の痛みを効果的に抑制することができる。
【００２８】
陰茎収容部１０の先端部１０ａには、裂開予定部１２が設けられていない。これにより、裂開予定部１２が裂開した状態においても、陰茎収容部１０の先端部１０ａに穴（開口）が生じないようにすることができる。
【００２９】
裂開予定部１２は、陰茎収容部１０の後端部１０ｂにまで達しないように設けられている。このため、裂開予定部１２が裂開した状態においても、陰茎収容部１０の後端部１０ｂの形状（環状）が維持される。これにより、勃起した陰茎から陰茎収容部１０が外れるのを防ぐことができる。ただし、裂開予定部１２は、後端部１０ｂに達するように設けられていてもよい。
【００３０】
陰茎収容部１０には、複数の裂開予定部１２が設けられている。これにより、裂開予定部１２が裂開したとき、裂開予定部１２が１つしか設けられていない場合よりも大きく陰茎収容部１０を拡張させることができる。
【００３１】
複数の裂開予定部１２は、陰茎収容部１０に規則的に配設されている。このことは、裂開予定部１２が裂開したときに陰茎収容部１０を全体的にバランスよく拡張させるのに有利である。
【００３２】
複数の裂開予定部１２は、互いに交わらないように設けられている。これにより、裂開予定部１２が裂開したとき、過度に大きな開口が陰茎収容部１０に生じるのを防ぐことができる。開口が大きすぎると、陰茎収容部１０の外に尿が漏れる原因となりかねない。
【００３３】
陰茎収容部１０には、陰茎が勃起したときに初めて、裂開予定部１２に沿って切目が生じる。すなわち、裂開予定部１２が裂開する前の状態においては、当該切目が形成されていない。これにより、裂開予定部１２が裂開する前に、陰茎収容部１０に不必要な開口が生じるのを防ぐことができる。
【００３４】
陰茎収容部１０には、裂開予定部１２に沿ってミシン目が形成されている。これにより、陰茎が勃起したときに初めて裂開予定部１２に沿った切目が生じる構成を容易に実現することができる。
【００３５】
尿取パッド１が水洗トイレに流すことが可能なものである場合、使用済みの尿取パッド１を水洗トイレに流して処分することができるため、尿取パッド１の利便性が向上する。
【００３６】
本発明は、上記実施形態に限定されるものではなく、様々な変形が可能である。上記実施形態においては、陰茎が収容されているとき及び収容されていないときの双方において中空の状態を維持する筒状の陰茎収容部１０を例示した。しかし、陰茎収容部１０は、陰茎が収容されているときは中空の状態となる一方で、陰茎が収容されていないときは潰れた状態（陰茎収容部１０の内側面どうしが接触した状態）となる袋状をしていてもよい。
【００３７】
上記実施形態においては、陰茎が勃起したときに初めて裂開予定部１２に沿った切目が生じる場合を例示した。しかし、陰茎収容部１０には、裂開予定部１２に沿って予め切目が形成されていてもよい。かかる構成の場合、陰茎が勃起したとき、より確実に裂開予定部１２を裂開させることができるという利点がある。
【００３８】
上記実施形態においては、裂開予定部１２が陰茎収容部１０の長さ方向に延在する場合を例示した。しかし、裂開予定部１２は、その他の方向に延在するものであってもよい。例えば、図６及び図７に示すように、裂開予定部１２は、陰茎収容部１０の周方向に延びていてもよい。
【００３９】
上記実施形態においては、陰茎収容部１０に複数の裂開予定部１２が設けられた場合を例示した。しかし、陰茎収容部１０には、裂開予定部１２が１つだけ設けられていてもよい。
【００４０】
上記実施形態においては、１つの陰茎収容部（陰茎収容部１０）のみを備える尿取パッドを例示した。しかし、本発明による尿取パッドは、例えば図８に示すように、相異なる大きさを有する複数の陰茎収容部を備えていてもよい。同図において尿取パッド２は、陰茎収容部１０に加えて、陰茎収容部２０を備えている。陰茎収容部２０は、陰茎収容部１０と別体に設けられている。陰茎収容部２０の構成は、陰茎収容部１０と同様である。ただし、陰茎収容部２０は、陰茎収容部１０よりも大きい。これらの陰茎収容部１０，２０は、図９に示すように、互いに重なった状態で陰茎を収容することが可能である。同図は、図２と同様の端面を示している。
【００４１】
かかる尿取パッド２によれば、各人の陰茎のサイズに応じて、複数の陰茎収容部の中から、最適な大きさの陰茎収容部を選択することが可能となる。また、複数の陰茎収容部が重なった状態で陰茎を収容することにより、陰茎収容部の外に尿が漏れるのをより確実に防ぐことができる。使用態様、交換頻度等を考慮して１つの陰茎収容部だけでは尿漏れが懸念されるような場合、このように複数の陰茎収容部を重ねて用いることが有用である。
【符号の説明】
【００４２】
１  尿取パッド
２  尿取パッド
１０  陰茎収容部
１０ａ  先端部
１０ｂ  後端部
１２  裂開予定部
１４  内側シート
１６  外側シート
１８  吸水層
２０  陰茎収容部
【図１】
2017183091.tif 000003
【図２】
2017183091.tif 000004
【図３】
2017183091.tif 000005
【図４】
2017183091.tif 000006
【図５】
2017183091.tif 000007
【図６】
2017183091.tif 000008
【図７】
2017183091.tif 000009
【図８】
2017183091.tif 000010
【図９】
2017183091.tif 000011
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
陰茎に装着されて尿を吸収する尿取パッドであって、
前記陰茎を収容可能な形状に予め成形された陰茎収容部を備え、
前記陰茎収容部には、前記陰茎が勃起したときに裂開する部分である裂開予定部が設けられており、
前記陰茎収容部は、先端部が閉塞され、後端部が開放した筒状又は袋状をしており、
前記裂開予定部は、線状をしており、前記陰茎収容部の長さ方向に延びていることを特徴とする尿取パッド。
【請求項２】
請求項１に記載の尿取パッドにおいて、
前記裂開予定部の長さは、３ｃｍ以上である尿取パッド。
【請求項３】
請求項１又は２に記載の尿取パッドにおいて、
前記裂開予定部は、前記陰茎収容部の前記後端部にまで達しないように設けられている尿取パッド。
【請求項４】
請求項１乃至３の何れかに記載の尿取パッドにおいて、
前記陰茎収容部の前記先端部は、当該陰茎収容部の前記先端部以外の部分よりも厚く形成されている尿取パッド。
【請求項５】
請求項４に記載の尿取パッドにおいて、
前記先端部には、前記裂開予定部が設けられていない尿取パッド。
【請求項６】
請求項４又は５に記載の尿取パッドにおいて、
前記裂開予定部は、前記先端部から前記後端部の近傍まで延びている尿取パッド。
【請求項７】
請求項１乃至６の何れかに記載の尿取パッドにおいて、
前記陰茎収容部には、複数の前記裂開予定部が設けられている尿取パッド。
【請求項８】
請求項７に記載の尿取パッドにおいて、
前記複数の裂開予定部は、前記陰茎収容部に規則的に配設されている尿取パッド。
【請求項９】
請求項７又は８に記載の尿取パッドにおいて、
前記複数の裂開予定部は、互いに交わらない尿取パッド。
【請求項１０】
請求項１乃至９の何れかに記載の尿取パッドにおいて、
前記陰茎収容部には、前記裂開予定部に沿って予め切目が形成されている尿取パッド。
【請求項１１】
請求項１乃至９の何れかに記載の尿取パッドにおいて、
前記陰茎収容部には、前記陰茎が勃起したときに初めて、前記裂開予定部に沿って切目が生じる尿取パッド。
【請求項１２】
請求項１１に記載の尿取パッドにおいて、
前記陰茎収容部には、前記裂開予定部に沿ってミシン目が形成されている尿取パッド。
【請求項１３】
請求項１乃至１２の何れかに記載の尿取パッドにおいて、
前記陰茎収容部は、高吸水性樹脂を含有している尿取パッド。
【請求項１４】
請求項１乃至１３の何れかに記載の尿取パッドにおいて、
前記陰茎収容部は、モールド成形又はプレス成形されたものである尿取パッド。
【請求項１５】
請求項１乃至１４の何れかに記載の尿取パッドにおいて、
当該尿取パッドは、水洗トイレに流すことが可能である尿取パッド。
【請求項１６】
請求項１乃至１５の何れかに記載の尿取パッドにおいて、
相異なる大きさを有する複数の前記陰茎収容部を備える尿取パッド。
【請求項１７】
請求項１６に記載の尿取パッドにおいて、
前記複数の陰茎収容部は、互いに重なった状態で前記陰茎を収容することが可能である尿取パッド。
【国際調査報告】
2017183091.tif 000012
2017183091.tif 000013
2017183091.tif 000014
2017183091.tif 000015